(57)【要約】【課題】  緩衝機能を有しながら床板の支持剛性を向上させる。【解決手段】  裁頭逆円錐形状に形成され支持ボルト９の挿入部分に対応して床板４に掛かる荷重を支持ボルト９を介して受ける上側台座部２３と、直径が全体に亘ってほぼ等しい円筒形状に形成され支持ボルト９の非挿入部分に対応して上側台座部２３に掛かる荷重を受ける下側台座部２４と、上側台座部２３と下側台座部２４との境に全周に亘って設けられ床板４に掛かる荷重により弾性変形する上側台座部２３の変形を下側台座部２４に伝わり難くする段差部２５とで弾性台座１９を構成する。【選択図】  図１
2005220549.tif 000002
【特許請求の範囲】
【請求項１】
基礎床と床板との間に配置され支持ボルトを軸心回りに回転させて床板を高さ調整自在に支持する床板施工用支持脚において、上下方向に貫通する貫通孔を有しこの貫通孔の上端側部分に上記支持ボルトの下端側部分を軸心回りに回転可能に挿入して支持ボルトを基礎床に鉛直に保持する弾性台座であって、
裁頭逆円錐形状に形成され上記支持ボルトの挿入部分に対応して上記床板に掛かる荷重を支持ボルトを介して受ける上側台座部と、
直径が全体に亘ってほぼ等しい円筒形状に形成され上記支持ボルトの非挿入部分に対応して上記上側台座部に掛かる荷重を受ける下側台座部と、
上記上側台座部と下側台座部との境に全周に亘って設けられ上記床板に掛かる荷重により弾性変形する上側台座部の変形を下側台座部に伝わり難くする変形難伝達部とを備えたことを特徴とする床板施工用支持脚の弾性台座。
【請求項２】
請求項１記載の床板施工用支持脚の弾性台座において、
変形難伝達部は、外径が上側台座部下端の外径と等しく設定され、かつ下側台座部の外径よりも大きく設定された段差部で構成されていることを特徴とする床板施工用支持脚の弾性台座。
【請求項３】
請求項１に記載の床板施工用支持脚の弾性台座において、
変形難伝達部は、外径が上側台座部下端の外径及び下側台座部の外径よりも大きく設定されて外側方に突出するリング状突出部で構成されていることを特徴とする床板施工用支持脚の弾性台座。
【請求項４】
請求項１に記載の床板施工用支持脚の弾性台座において、
下側台座部の外径は上側台座部下端の外径よりも大きく設定され、
変形難伝達部は、上記上側台座部下端から外側方の下側台座部上端面で構成されていることを特徴とする床板施工用支持脚の弾性台座。
【請求項５】
基礎床と床板との間に配置され支持ボルトを軸心回りに回転させて床板を高さ調整自在に支持する床板施工用支持脚において、上下方向に貫通する貫通孔を有しこの貫通孔の上端側部分に上記支持ボルトの下端側部分を軸心回りに回転可能に挿入して支持ボルトを基礎床に鉛直に保持する弾性台座であって、
上記貫通孔のボルト非挿入部分内周面には、複数の縦リブが周方向に間隔をあけて一体に突設されていることを特徴とする床板施工用支持脚の弾性台座。
【請求項６】
基礎床と床板との間に配置され支持ボルトを軸心回りに回転させて床板を高さ調整自在に支持する床板施工用支持脚において、上下方向に貫通する貫通孔を有しこの貫通孔の上端側部分に上記支持ボルトの下端側部分を軸心回りに回転可能に挿入して支持ボルトを基礎床に鉛直に保持する弾性台座であって、
上記貫通孔のボルト非挿入部分に対応する外周面には、複数の縦リブが周方向に間隔をあけて一体に突設されていることを特徴とする床板施工用支持脚の弾性台座。
【請求項７】
基礎床と床板との間に配置され支持ボルトを軸心回りに回転させて床板を高さ調整自在に支持する床板施工用支持脚において、上下方向に貫通する貫通孔を有しこの貫通孔の上端側部分に上記支持ボルトの下端側部分を軸心回りに回転可能に挿入して支持ボルトを基礎床に鉛直に保持する弾性台座であって、
上記貫通孔のボルト非挿入部分内周面及びボルト非挿入部分に対応する外周面には、複数の縦リブが周方向に間隔をあけて一体に突設されていることを特徴とする床板施工用支持脚の弾性台座。
【請求項８】
請求項７に記載の床板施工用支持脚の弾性台座において、
貫通孔のボルト非挿入部分内周面及びボルト非挿入部分に対応する外周面の各縦リブは、周方向に互いに位置ずれした状態で配置されていることを特徴とする床板施工用支持脚の弾性台座。
【請求項９】
基礎床と床板との間に配置され支持ボルトを軸心回りに回転させて床板を高さ調整自在に支持する床板施工用支持脚において、上下方向に貫通する貫通孔を有しこの貫通孔の上端側部分に上記支持ボルトの下端側部分を軸心回りに回転可能に挿入して支持ボルトを基礎床に鉛直に保持する弾性台座であって、
上記貫通孔のボルト非挿入部分内周面には、複数の縦リブが周方向に間隔をあけて一体に突設されているとともに、ボルト非挿入部分に対応する外周面には、複数の横リブが貫通孔中心線に沿って間隔をあけて一体に突設されていることを特徴とする床板施工用支持脚の弾性台座。
【発明の詳細な説明】
【技術分野】
【０００１】
この発明は、集合住宅、戸建て住宅及びビル等の建物において、配線スペースや配管スペース等を確保するために、コンクリートスラブ等の基礎床と床板との間に空間を形成して二重床を構築する際、上記床板を高さ調整自在に支持する床板施工用支持脚の弾性台座に関するものである。
【背景技術】
【０００２】
床板施工用支持脚では、支持ボルトを弾性台座で基礎床に鉛直に保持し、上記支持ボルトを軸心回りに回転させることにより、床板を上下方向に移動させて床板の基礎床からの高さを調整して床板を目的とする施工高さに合致させるようにしている。そして、上記弾性台座は、支持ボルトを保持する以外に、床板に加わった衝撃を吸収緩和する役目をも担っている（例えば、特許文献１参照）。
【特許文献１】特開平１０−２５９６５８号公報（第６頁、図２）
【発明の開示】
【発明が解決しようとする課題】
【０００３】
上記弾性台座の緩衝機能は、その柔らかさに依存するところが大きいが、あまり柔らかすぎると床板が沈み込んで快適な生活空間を得ることができなくなる。さりとて、硬直で変形しない材質で台座をつくると、当初の目的である緩衝機能がなくなってしまう。弾性を有していながら床板の沈み込みを抑制できる台座の出現が望まれるところである。
【０００４】
この発明はかかる点に鑑みてなされたものであり、その目的とするところは、緩衝機能を有しながら床板の支持剛性を向上させることである。
【課題を解決するための手段】
【０００５】
上記の目的を達成するため、この発明は、弾性台座の形状を工夫したり、あるいは補強リブを設けたことを特徴とする。
【０００６】
具体的には、この発明は、基礎床と床板との間に配置され支持ボルトを軸心回りに回転させて床板を高さ調整自在に支持する床板施工用支持脚において、上下方向に貫通する貫通孔を有しこの貫通孔の上端側部分に上記支持ボルトの下端側部分を軸心回りに回転可能に挿入して支持ボルトを基礎床に鉛直に保持する弾性台座を前提とし、次のような解決手段を講じた。
【０００７】
すなわち、請求項１に記載の発明は、裁頭逆円錐形状に形成され上記支持ボルトの挿入部分に対応して上記床板に掛かる荷重を支持ボルトを介して受ける上側台座部と、直径が全体に亘ってほぼ等しい円筒形状に形成され上記支持ボルトの非挿入部分に対応して上記上側台座部に掛かる荷重を受ける下側台座部と、上記上側台座部と下側台座部との境に全周に亘って設けられ上記床板に掛かる荷重により弾性変形する上側台座部の変形を下側台座部に伝わり難くする変形難伝達部とを備えたことを特徴とする。
【０００８】
請求項２に記載の発明は、請求項１に記載の発明において、変形難伝達部は、外径が上側台座部下端の外径と等しく設定され、かつ下側台座部の外径よりも大きく設定された段差部で構成されていることを特徴とする。
【０００９】
請求項３に記載の発明は、請求項１に記載の発明において、変形難伝達部は、外径が上側台座部下端の外径及び下側台座部の外径よりも大きく設定されて外側方に突出するリング状突出部で構成されていることを特徴とする。
【００１０】
請求項４に記載の発明は、請求項１に記載の発明において、下側台座部の外径は上側台座部下端の外径よりも大きく設定され、変形難伝達部は、上記上側台座部下端から外側方の下側台座部上端面で構成されていることを特徴とする。
【００１１】
請求項５に記載の発明は、上述の如き前提において、上記貫通孔のボルト非挿入部分内周面には、複数の縦リブが周方向に間隔をあけて一体に突設されていることを特徴とする。
【００１２】
請求項６に記載の発明は、上述の如き前提において、上記貫通孔のボルト非挿入部分に対応する外周面には、複数の縦リブが周方向に間隔をあけて一体に突設されていることを特徴とする。
【００１３】
請求項７に記載の発明は、上述の如き前提において、上記貫通孔のボルト非挿入部分内周面及びボルト非挿入部分に対応する外周面には、複数の縦リブが周方向に間隔をあけて一体に突設されていることを特徴とする。
【００１４】
請求項８に記載の発明は、請求項７に記載の発明において、貫通孔のボルト非挿入部分内周面及びボルト非挿入部分に対応する外周面の各縦リブは、周方向に互いに位置ずれした状態で配置されていることを特徴とする。
【００１５】
請求項９に記載の発明は、上述の如き前提において、上記貫通孔のボルト非挿入部分内周面には、複数の縦リブが周方向に間隔をあけて一体に突設されているとともに、ボルト非挿入部分に対応する外周面には、複数の横リブが貫通孔中心線に沿って間隔をあけて一体に突設されていることを特徴とする。
【発明の効果】
【００１６】
請求項１に係る発明によれば、床板に掛かる荷重により下方に押し潰されながら横方向に弾性変形する上側台座部の変形を変形難伝達部により下側台座部に伝わり難くして、床板に加わった衝撃を吸収緩和することができるとともに、高剛性を確保して床板の沈み込みを抑制することができる。
【００１７】
請求項２に係る発明によれば、荷重により上側台座部が膨出変形しても、その変形を段差部と下側台座部との間の段差により下側台座部に伝わり難くすることができる。
【００１８】
請求項３に係る発明によれば、リング状突出部の上下で上側台座部及び下側台座部との間に空隙があることで、上側台座部の膨出変形を請求項２よりもさらに下側台座部に伝え難くすることができ、床板の支持剛性を一層高めることができる。
【００１９】
請求項４に係る発明によれば、上側台座部と下側台座部上端面との間に空隙があることで、上側台座部の膨出変形を下側台座部に伝え難くすることができる。
【００２０】
請求項５に係る発明によれば、貫通孔のボルト非挿入部分内周面に縦リブがあることで耐荷重性が増し、荷重に対して変形し難くなって床板の支持剛性を高めることができる。
【００２１】
請求項６に係る発明によれば、貫通孔のボルト非挿入部分に対応する外周面に縦リブがあることで耐荷重性が増し、荷重に対して変形し難くなって床板の支持剛性を高めることができる。
【００２２】
請求項７に係る発明によれば、貫通孔のボルト非挿入部分内周面及びボルト非挿入部分に対応する外周面に縦リブがあることで耐荷重性が請求項５，６よりもさらに増し、荷重に対して益々変形し難くなって床板の支持剛性を一段と高めることができる。
【００２３】
請求項８に係る発明によれば、縦リブが貫通孔内外で周方向に交互に並んで全体として周方向でリブ間隔が狭くなっていることによっても、床板の支持剛性を高めることに寄与することができる。
【００２４】
請求項９に係る発明によれば、請求項５に比べてボルト非挿入部分に対応する外周面に横リブが付加されている分だけ耐荷重性が増し、荷重に対して変形し難くなって請求項５よりも床板の支持剛性を高めることができる。
【発明を実施するための最良の形態】
【００２５】
以下、この発明の実施の形態について図面に基づいて説明する。
【００２６】
（実施形態１）
図１は床板施工用支持脚１の適用例を示す。この支持脚１は、集合住宅、戸建て住宅及びビル等の建物２の二重床構造に適用され、建物２の基礎床であるコンクリートスラブ３と、パーティクルボード、合板、木質繊維板、ガラス繊維補強セメントパネル等のパネル材からなる床板４との間に配置されて上記床板４を高さ調整自在に支持するようになっている。上記コンクリートスラブ３と床板４との間の空間５は、配線スペースや配管スペース等として利用される。６は、床板４を施工した後に床板４上に敷設される合板や木質繊維板等からなる捨張り材、７は、この捨張り材６上に敷設されるクッションフロアシート、畳、木質フロア材等からなる仕上げ材である。
【００２７】
上記支持脚１は、外周に雄ネジ部８が軸心方向全体に亘って形成された支持ボルト９を備え、この支持ボルト９上端にはナット部材１０が螺合されている。このナット部材１０は、円筒部１１とその下端に張り出し形成された鍔部１２とで構成され、両者には上記支持ボルト９の雄ネジ部８が螺合する雌ネジ部１３が貫通形成されている。また、上記円筒部１１外周にはローレット加工が施されてギザミ目１４が形成されている。そして、上記床板４を下方から受ける受け板１５の嵌合孔１５ａに上記円筒部１１を下方から圧入嵌合させて上記鍔部１２を受け板１５下面に当接させ、ナット部材１０の円筒部１１が受け板１５に嵌着されている。
【００２８】
一方、上記支持ボルト９下端寄りには鍔部１６が形成されているとともに、支持ボルト９下端には小径部１７と大径部１８とが形成されている。この小径部１７及び大径部１８を含む支持ボルト９の下端側部分は、この実施形態１に係る弾性台座１９に挿入されている。具体的には、この弾性台座１９はＮＢＲ等のゴム製弾性材からなり、図２及び図３にも示すように、中央には上下方向に貫通する貫通孔２０が貫通形成されている。この貫通孔２０は、上側の小径貫通孔部２０ａとこれに続く下側の大径貫通孔部２０ｂとからなり、上記小径貫通孔部２０ａは上記支持ボルト９の小径部１７及び大径部１８よりも小径に形成されている。そして、ポリプロピレン（ＰＰ）等からなる樹脂製円形板材２１を弾性台座１９上面に載置してその挿入孔２１ａを上記小径貫通孔部２０ａに対応させた状態で、支持ボルト９の下端を円形板材２１の挿入孔２１ａに挿入して小径貫通孔部２０ａに圧入しながら貫通させ、上記大径部１８を大径貫通孔部２０ｂに突出させて小径貫通孔部２０ａ周りに係合させるようになっている。この状態で鍔部１６が上記円形板材２１に当接しているとともに、弾性台座１９の小径貫通孔部２０ａ周りの肉が上記小径部１７にくい込み、支持ボルト９が上下方向に抜けないようになっている。ただし、この支持ボルト９の下端側部分（小径部１７及び大径部１８）を貫通孔２０の小径貫通孔部２０ａに挿入した状態で、支持ボルト９は回転工具としてのドライバの回転操作により軸心回りに回転可能になっている。そして、支持脚１をコンクリートスラブ３と床板４との間に配置して弾性台座１９をコンクリートスラブ３に接地させた状態で支持ボルト９をコンクリートスラブ３に鉛直に保持し、支持ボルト９をドライバの回転操作により軸心回りに回転させて床板４の高さを調整するようになっている。図２中、２２は支持ボルト９の上端面に形成されたドライバ係合用の凹状係合部である。
【００２９】
上記弾性台座１９は、裁頭逆円錐形状に形成された上側台座部２３と、直径が全体に亘ってほぼ等しい円筒形状に形成された下側台座部２４と、上記上側段座部２３と下側台座部２４との境に全周に亘って一体に設けられた段差部２５とで構成されている。上記上側台座部２３は、上記支持ボルト９の挿入部分（貫通孔２０の小径貫通孔部２０ａ）に対応して上記床板４に掛かる荷重を支持ボルト９を介して受けるようになっている。上記下側台座部２４は、上記支持ボルト９の非挿入部分（貫通孔２０の大径貫通孔部２０ｂ）に対応して上記上側台座部２３に掛かる荷重を受けるようになっている。上記段差部２５は、外径が上側台座部２３下端の外径と等しく設定され、かつ下側台座部２４の外径よりも大きく設定されている。この形状により、荷重が上記床板４に掛かって上側台座部２３が下方に押し潰されて横方向に膨出変形しても、その変形は段差部２５があることで下側台座部２４に伝わり難くなっている。つまり、段差部２５が変形難伝達部を構成している。このことを実施形態１の特徴としている。なお、下側台座部２４下面には、複数の突起２６がメッシュ状に形成され、この突起２６により接地面積を少なくして衝撃が階下に伝わり難くしているとともに、滑り難くしている。
【００３０】
このように構成された弾性台座１９は支持ボルト９の下端部分が挿入されて施工に供せられる。その施工の要領について説明するに、まず、支持脚１の受け板１５の高さを床板４の施工高さに応じて予め大まかに調整しておく。この高さ調整は、受け板１５を作業者が直接に手で持って支持ボルト９の軸心回りに回転させることで行う。このようにして高さ調整した支持脚１を隣り合う２枚の床板４間や、４枚の床板４の突き合わせ部分等に跨って位置するように裏側から配置して受け板１５で床板４裏面を受け、弾性台座１９をコンクリートスラブ３に接地させる。
【００３１】
次いで、電気ドライバ等の釘打ち工具で釘（図示せず）を床板４表面側から受け板１５に打ち込み、受け板１５を床板４に固定する。これにより、床板４が受け板１５つまり支持脚１により下方から水平に支持される。
【００３２】
その後、ドライバ等の回転工具を隣り合う床板４間や、４枚の床板４の突き合わせ部分等の隙間に挿入して支持ボルト９上端の凹状係合部２２に係合させ、支持ボルト９を軸心回りに回転させる。これにより、受け板１５が支持ボルト９の軸心に沿って上下方向に移動し、床板４のコンクリートスラブ３からの高さが微調整されて目的とする施工高さに合致する。
【００３３】
しかる後、床板４の表面に捨張り材６及び仕上げ材７を順に敷設して作業を施工終了する。
【００３４】
このように、この実施形態１では、裁頭逆円錐形状の上側台座部２３と円筒形状の下側台座部２４との境に全周に亘って段差部２５を形成したので、荷重が床板４に掛かって上側台座部２３が下方に押し潰されて横方向に膨出変形しても、その変形を段差部２５があることで下側台座部２４に伝わり難くすることができ、これにより、床板に加わった衝撃を吸収緩和することができるとともに、高剛性を確保して床板の沈み込みを抑制することができる。
【００３５】
（実施形態２）
図４〜６はこの発明の実施形態２に係る弾性台座１９を示し、図４はこの弾性台座１９が適用された支持脚１で床板４を支持した状態を示す。この実施形態２では、貫通孔２０のボルト非挿入部分（大径貫通孔部２０ｂ）内周面に、複数（８つ）の内側縦リブ２７が周方向に間隔をあけて一体に突設されている。そのほかは実施形態１と同様であり、弾性台座１９が適用される支持脚１及び床板支持構造も実施形態１と同様であるので、同一の箇所には同一の符号を付してその詳細な説明を省略する。
【００３６】
したがって、この実施形態２では、内側縦リブ２７があることで耐荷重性が増して荷重に対して変形し難くなり、実施形態１よりも床板４の支持剛性をさらに高めることができる。
【００３７】
（実施形態３）
図７はこの発明の実施形態３に係る弾性台座１９を示す。この実施形態３では、直径が全体に亘ってほぼ等しい円筒形状に形成されている点を除いて実施形態２と同様に構成されている。
【００３８】
したがって、この実施形態３では、内側縦リブ２７があることによって床板４の支持剛性を高めることができる。
【００３９】
（実施形態４）
図８はこの発明の実施形態４に係る弾性台座１９を示す。この実施形態４では、外径が上側台座部２３下端の外径及び下側台座部２４の外径よりも大きく設定されて外側方に突出するリング状突出部２８で変形難伝達部を構成している点を除いて実施形態２と同様に構成されている。
【００４０】
したがって、この実施形態４では、リング状突出部２８の上下で上側台座部２３及び下側台座部２４との間に空隙があることで、上側台座部２３の膨出変形を実施形態１及び実施形態２よりもさらに下側台座部２４に伝え難くすることができて床板４の支持剛性を一層高めることができる。
【００４１】
（実施形態５）
図９はこの発明の実施形態５に係る弾性台座１９を示す。この実施形態５では、下側台座部２４の外径は上側台座部２３下端の外径よりも大きく設定され、上記上側台座部２３下端から外側方の下側台座部上端面２９で変形難伝達部を構成している点を除いて実施形態１と同様に構成されている。
【００４２】
したがって、この実施形態５では、上側台座部２３と下側台座部２４上端面との間に空隙があることで、上側台座部２３の変形を実施形態１及び実施形態２よりもさらに下側台座部２４に伝え難くすることができて床板４の支持剛性を一層高めることができる。
【００４３】
（実施形態６）
図１０及び図１１はこの発明の実施形態６に係る弾性台座１９を示す。この実施形態６では、貫通孔２０のボルト非挿入部分（大径貫通孔部２０ｂ）内周面に、複数（８つ）の内側縦リブ２７が周方向に間隔をあけて一体に突設されている。そのほかは実施形態５と同様である。
【００４４】
したがって、この実施形態６では、内側縦リブ２７があることで耐荷重性が増して荷重に対して変形し難くなり、実施形態５よりも床板４の支持剛性をさらに高めることができる。
【００４５】
（実施形態７）
図１２はこの発明の実施形態７に係る弾性台座１９を示す。この実施形態７では、実施形態６とは逆に、貫通孔２０のボルト非挿入孔部分（大径貫通孔部２０ｂ）に対応する外周面に、複数の外側縦リブ３０が周方向に間隔をあけて一体に突設されている。
【００４６】
したがって、この実施形態７では、外側縦リブ３０があることで耐荷重性が増して荷重に対して変形し難くなり、実施形態５よりも床板４の支持剛性をさらに高めることができる。
【００４７】
（実施形態８）
図１３及び図１４はこの発明の実施形態８に係る弾性台座１９を示す。この実施形態８では、貫通孔２０のボルト非挿入部分（大径貫通孔部２０ｂ）内周面及びボルト非挿入孔部分（大径貫通孔部２０ｂ）に対応する外周面に、複数（８つ）の内側縦リブ２７と同じく複数（８つ）の外側縦リブ３０とが周方向に間隔をあけて一体に突設されている。また、これら内側縦リブ２７及び外側縦リブ３０は、周方向に互いに位置ずれした状態で配置されている。
【００４８】
したがって、この実施形態８では、内側縦リブ２７及び外側縦リブ２９があることで耐荷重性がさらに増して荷重に対して益々変形し難くなり、実施形態６及び実施形態７よりも床板４の支持剛性を一段と高めることができる。また、内側縦リブ２７と外側縦リブ２９とが周方向に交互に並んで全体として周方向でリブ間隔が狭くなっていることによっても、床板４の支持剛性を高めることに寄与することができる。
【００４９】
（実施形態９）
図１５はこの発明の実施形態９に係る弾性台座１９を示す。この実施形態９では、貫通孔２０のボルト非挿入部分（大径貫通孔部２０ｂ）内周面に、複数の内側縦リブ２７が周方向に間隔をあけて一体に突設されているとともに、ボルト非挿入孔部分（大径貫通孔部２０ｂ）に対応する外周面に、複数（３つ）の横リブ３１が貫通孔中心線に沿って間隔をあけて一体に突設されている。
【００５０】
したがって、この実施形態９では、実施形態６に比べて横リブ３１が付加されている分だけ耐荷重性が増し、荷重に対して変形し難くなって実施形態６よりも床板４の支持剛性を高めることができる。
【００５１】
次に、実施形態１及び実施形態２の弾性台座１９について行った耐荷重性のテスト結果を比較例１〜４と共に下記の表１及び図１６に示す。弾性台座はいずれもＮＢＲ製であり、外形はそれぞれ異なるが、全体の大きさは極端には異ならずほぼ同じである。因みに、実施形態１，２では全体の高さが２５ｍｍ、その内、下側台座部２４の高さが１３．５ｍｍ、上側台座部２３の上端面の外径が４０ｍｍ、下側台座部２４の外径が３０ｍｍ、小径貫通孔部２０ａの内径が７．４ｍｍ、大径貫通孔部２０ｂの内径が１４ｍｍである。また、実施形態２の内側縦リブ２７の突出寸法は２ｍｍである。比較例１〜４の弾性台座の形状を図１７に示す。図１７（ａ）は比較例１の弾性台座ａであり、下端の大径部ｂと、中間の裁頭円錐形状部ｃと、上端の小径部ｄとで一体に構成されている。図１７（ｂ）は比較例２の弾性台座ａであり、全体が裁頭円錐形状をしている。図１７（ｃ）は比較例３の弾性台座ａであり、全体の約１／４の領域を占める下端の大径部ｅと、その上側で残りの約３／４の領域を占める裁頭円錐形状部ｆとで一体に構成されている。図１７（ｄ）は比較例４の弾性台座ａであり、直径が全体に亘ってほぼ等しい円筒形状をしている。
【００５２】
【表１】
2005220549.tif 000003
【００５３】
上記の表１及び図１６から明らかなように、荷重が３９２Ｎ（４０ｋｇｆ）のときの変位量は、縦リブのない実施形態１では１．９２ｍｍ、縦リブが内側にある実施形態１では１．７４ｍｍと比較的少ないのに対し、比較例１では６．３ｍｍ、比較例２では４．６ｍｍ、比較例３では４．１ｍｍ、比較例４では４．３ｍｍと大きく、実施形態１，２の約２〜３倍の変位を示した。この３９２Ｎ（４０ｋｇｆ）の荷重とは歩行時を想定したものである。
【００５４】
また、荷重が９８０Ｎ（１００ｋｇｆ）のときの変位量は、縦リブのない実施形態１では６．１ｍｍ、縦リブが内側にある実施形態１では５．４９ｍｍと比較的少ないのに対し、比較例１では１２．４ｍｍ、比較例２では９．９ｍｍ、比較例３では１０．２ｍｍ、比較例４では７．９ｍｍと大きく、比較例１は実施形態１の約２．３倍の変位を示した。この９８０Ｎ（１００ｋｇｆ）の荷重とは本箱や冷蔵庫等の重量物の設置を想定したものである。
【００５５】
このことは、実施形態１では、弾性台座１９が裁頭逆円錐形状の上側台座部２３、段差部２５及び円筒形状の下側台座部２４からなり、また、実施形態２では、これに加えて内側縦リブ２７があることにより、比較例１〜４に比べて高剛性を得ることができるものであることを物語るものである。
【産業上の利用可能性】
【００５６】
この発明は、二重床構造において、高さ調整済の床板施工用支持脚を動かないように固定する場合に有用である。
【図面の簡単な説明】
【００５７】
【図１】実施形態１に係る弾性台座が適用された支持脚で床板を支持した状態を示す断面図である。
【図２】実施形態１に係る弾性台座の斜視図である。
【図３】実施形態１に係る弾性台座の底面図である。
【図４】実施形態２に係る弾性台座が適用された支持脚で床板を支持した状態を示す断面図である。
【図５】実施形態２に係る弾性台座の斜視図である。
【図６】実施形態２に係る弾性台座の底面図である。
【図７】実施形態３に係る弾性台座の断面図である。
【図８】実施形態４に係る弾性台座を一部破断して示す正面図である。
【図９】実施形態５に係る弾性台座の断面図である。
【図１０】実施形態６に係る弾性台座の断面図である。
【図１１】実施形態６に係る弾性台座の底面図である。
【図１２】実施形態７に係る弾性台座の断面図である。
【図１３】実施形態８に係る弾性台座の断面図である。
【図１４】実施形態８に係る弾性台座の底面図である。
【図１５】実施形態９に係る弾性台座の断面図である。
【図１６】実施形態１、実施形態２及び比較例１〜４の弾性台座の荷重に対する変位量を示すグラフである。
【図１７】比較例１〜４の弾性台座の正面図である。
【符号の説明】
【００５８】
１    支持脚
３    コンクリートスラブ（基礎床）
４    床板
９    支持ボルト
１９  弾性台座
２０  貫通孔
２３  上側台座部
２４  下側台座部
２５  段差部（変形難伝達部）
２７  内側縦リブ
２８  リング状突出部（変形難伝達部）
２９  下側台座部上端面（変形難伝達部）
３０  外側縦リブ
３１  横リブ
【図１】
2005220549.tif 000004
【図２】
2005220549.tif 000005
【図３】
2005220549.tif 000006
【図４】
2005220549.tif 000007
【図５】
2005220549.tif 000008
【図６】
2005220549.tif 000009
【図７】
2005220549.tif 000010
【図８】
2005220549.tif 000011
【図９】
2005220549.tif 000012
【図１０】
2005220549.tif 000013
【図１１】
2005220549.tif 000014
【図１２】
2005220549.tif 000015
【図１３】
2005220549.tif 000016
【図１４】
2005220549.tif 000017
【図１５】
2005220549.tif 000018
【図１６】
2005220549.tif 000019
【図１７】
2005220549.tif 000020